(57)【要約】【課題】  載置されたディスクのスリップを防止するために載置面上に接触部が形成されたターンテーブルにおいて、ターンテーブルが搭載されたディスク駆動装置の組立後でも、簡易な構成で接触部のレベル調整を行ってディスクの振れを未然に防止することができるターンテーブル及びディスク駆動装置を提供すること。【解決手段】  ディスク１５を載置する載置面３ａを有する載置部３と、ディスク１５の表面を支持するため載置部３上に形成された接触部とを備えたターンテーブル２において、載置面３ａには円周方向に離間して凸設された張出部３ｂが形成されているとともに、張出部３ｂに対応する位置で円周方向に点在して付着された複数の接触体４により接触部が構成されている。【選択図】      図２
2005182943.tif 000002
【特許請求の範囲】
【請求項１】
ディスクを載置する載置面を有する載置部と、該載置部上に形成され前記ディスクの表面を支持する接触部とを備えたターンテーブルにおいて、
前記載置面には、円周方向に離間して凸設された張出部が形成されるとともに、前記接触部は、前記張出部に対応する位置で円周方向に点在して付着された複数の接触体から構成されることを特徴とするターンテーブル。
【請求項２】
前記張出部は、前記接触体より小さく形成されていることを特徴とする請求項１記載のターンテーブル。
【請求項３】
請求項１または２記載のターンテーブルと、該ターンテーブルととともに前記ディスクを狭持するクランプ部材と、前記ターンテーブルを回転駆動する駆動機構部とを備えることを特徴とするディスク駆動装置。
【発明の詳細な説明】
【技術分野】
【０００１】
本発明は、ターンテーブル及びそれを備えたディスク駆動装置に関する。更に詳しくは、光学記録ディスクなどのディスクを回転駆動するディスク駆動装置に用いるターンテーブルの構成に関する。
【背景技術】
【０００２】
ＣＤ，ＤＶＤなどの光学記録ディスクをはじめとする情報記録媒体としてのディスクを回転駆動するディスク駆動装置として、ディスクを載置するターンテーブルと、このターンテーブルとともにディスクを狭持するクランプ部材と、ターンテーブルを回転駆動する駆動機構部とを備えるディスク駆動装置が知られている。
【０００３】
かかるディスク駆動装置に用いられるターンテーブルは、ディスクを載置する載置面を有する載置部を備えている。また、ディスクの表面を支持するとともにディスクと載置面とのスリップを防止するため、載置部上に形成された接触部を備えている（例えば、特許文献１、２参照）。
【０００４】
特許文献１に開示されたターンテーブルでは、ディスクを載置する平面状の載置面上に、リング状のゴムシートであるゴムリングからなる接触体が接着等によって付着されて接触部が構成されている。特許文献２の開示されたターンテーブルでは、精密ディスペンサにより塗布される合成ゴム等からなる未硬化樹脂が硬化されることで平面状の載置面上に形成される複数の接触体から接触部が構成されている。この特許文献２に開示された接触体は、リング状あるいは円周方向に点在するように形成されている。
【特許文献１】特許第３３３２８６９号公報
【特許文献２】特開２０００−３３９９２１号公報
【発明の開示】
【発明が解決しようとする課題】
【０００５】
しかしながら、リング状のゴムシートからなる接触体を平面状の載置面上に付着した特許文献１に記載のターンテーブルでは、ゴムシートの全周でディスクの表面を支持することからターンテーブルの振れが直接、ディスクの振れとなってしまう。すなわち、ゴムシートの全周にわたる平面精度を確保しなければ、ディスクの振れが発生する。また、接触体がリング状のゴムシートであるため、接触体を生産する際に中心部分は不要部分となる。そのため、接触体の取り数が少なくなり、生産性が低下するとともに生産コストが増加するといった問題点がある。
【０００６】
ここで、特許文献２に記載のように、接触体を円周方向に点在するように形成して上記の問題点を解決することもできる。しかし、精密ディスペンサにより未硬化樹脂を塗布して接触体を形成することで接触部が構成される特許文献２に記載のターンテーブルでは、用いる樹脂の粘度等の影響で載置面上に形成される接触体の厚みを一定にすることは困難である。そのため、接触部に支持された状態のディスクに傾きが生じ、ディスクの振れが生じるおそれがある。この場合、例えば、ターンテーブルが搭載されたディスク駆動装置の振れ特性検査時に接触部のレベル調整をしてディスクの振れを防止することになるが、載置面が平面状に形成されていることから、ディスクの振れを防止するため、接触部のレベル調整を行うことは困難である。
【０００７】
そこで、本発明の課題は、載置されたディスクのスリップを防止するために載置面上に接触部が形成されたターンテーブルにおいて、ターンテーブルが搭載されたディスク駆動装置の組立後でも、簡易な構成で接触部のレベル調整を行ってディスクの振れを未然に防止することができるターンテーブル及びディスク駆動装置を提供することにある。
【課題を解決するための手段】
【０００８】
上記の課題を解決するために、本発明では、ディスクを載置する載置面を有する載置部と、該載置部上に形成され前記ディスクの表面を支持する接触部とを備えたターンテーブルにおいて、前記載置面には円周方向に離間して凸設された張出部が形成されるとともに、前記接触部は、前記張出部に対応する位置で円周方向に点在して付着された複数の接触体から構成されることを特徴とする。このように構成することで、張出部の突出量を調整すれば個々の接触体のレベル調整が可能となり、複数の接触体から構成される接触部のレベル調整が可能となる。
【０００９】
本発明において、前記張出部は、前記接触体より小さく形成されていることが好ましい。載置面に載置された状態のディスクが回転すると、ディスクと接触体との間に生じる摩擦力の影響で張出部と接触体との付着面にせん断力が直接的に発生する。ここで、張出部が接触体よりも大きく形成されている場合、接触体全体が張出部上で載置面に付着されて、張出部と接触体との間においてのみ付着面が形成される状態が生じる。その場合には、載置面と接触体との付着面全体にせん断力が直接的に発生し、接触体の位置がずれたり、最悪の場合には、接触体が載置面から剥がれ落ちてしまうことになる。しかし、本発明では、張出部は、接触体より小さく形成されているため、張出部以外の載置面と接触体との間にも付着面が形成される。すなわち、せん断力の直接的な影響を受けない付着面が、張出部以外の載置面と接触体との間に形成される。従って、接触体の位置ずれや載置面からの剥がれ落ちを防止することができる。
【００１０】
本発明におけるターンテーブルは、このターンテーブルと、該ターンテーブルととともに前記ディスクを狭持するクランプ部材と、前記ターンテーブルを回転駆動する駆動機構部とを備えるディスク駆動装置に用いることができる。
【発明の効果】
【００１１】
本発明では、載置面に、円周方向に離間して凸設された張出部が形成されるとともに、接触部は、張出部に対応する位置で円周方向に点在して付着された複数の接触体から構成されている。そのため、張出部の突出量を調整することで個々の接触体のレベル調整ができ、複数の接触体から構成される接触部のレベル調整が可能となる。従って、ターンテーブルが搭載されたディスク駆動装置の組立後においても、簡易な構成で接触部のレベル調整を行うことができる。その結果、ディスクの振れを未然に防止することができる。
【発明を実施するための最良の形態】
【００１２】
以下、本発明を実施するための最良の形態を図面に基づいて説明する。
【００１３】
図１は、本発明の実施の形態に係るディスク駆動装置を示す側面図である。図２は、図１に示すディスク駆動装置に搭載されるターンテーブルを示す平面図である。図３は、図２におけるＸ−Ｘ断面を示す断面図である。
【００１４】
（ディスク駆動装置の概略構成）
本形態にかかるディスク駆動装置１は、ＣＤ，ＤＶＤなどの光学記録ディスクをはじめとする情報記録媒体としてのディスク１５を回転駆動するものであり、ディスク１５を載置するターンテーブル２とターンテーブル２ととともにディスク１５を狭持するクランプ部材６とを備えるディスク保持機構部７と、ディスク保持機構部７を回転駆動する駆動機構部８とから構成されている。
【００１５】
駆動機構部８としては、例えば、直流モータ等が用いられ、その構成は周知の構成であるため詳細な説明は省略するが、積層コアとこの積層コアに巻回された駆動コイルとを有する電機子（図示省略）と、この電機子に対向配置されて相対的に回転する永久磁石（図示省略）及び回転軸９と、回転軸９を回転自在に支承する軸受部（図示省略）とを備えている。電機子、永久磁石及び軸受部は、ケース１０の中に収容され、回転軸９の一部はケース１０から突出している。
【００１６】
（ターンテーブルの構成）
ターンテーブル２は、回転軸９の一端側に固定されており、ディスク１５を載置する載置面３ａを有する載置部３と、ディスク１５の表面を支持するために載置面３ａ上に付着された複数の接触体４からなる接触部と、載置部３に載置されるディスク１５をセンタリングするセンタリング機構部５とを備えている。
【００１７】
載置部３は、例えば、メッキ鋼板をプレス加工することで円盤状に形成されており、図１における上面側がディスク１５を載置する平面状の載置面３ａとなっている。載置面３ａには、円周方向に離間して載置面３ａ側に凸設された矩形状の張出部３ｂが形成されている。本形態では、張出部３ｂは、円周方向に約１２０°ピッチで３箇所形成されている。また、張出部３ｂは、可能な限り載置面３ａの外周側に形成することが、ディスク１５の回転時におけるディスク１５と接触体４との間に生じる摩擦力を抑制する上で好ましい。尚、張出部３ｂは、載置部３のプレス加工と同時に形成することができる。また、その形状は矩形状には限定されず、例えば、円形状や楕円形状であっても良い。
【００１８】
接触体４は、ゴムシートをプレス加工することで略矩形状に形成された薄板状の弾性部材である。接触体４は、両面テープや接着剤等によって、載置面３ａに形成された張出部３ｂに対応する位置で、張出部３ｂを上から覆うように、円周方向に点在して付着されている。本形態では、張出部３ｂに対応するように円周方向に約１２０°のピッチで３箇所において付着されている。この３個の接触体４から接触部が構成されている。また、本形態においては、接触体４は張出部３ｂよりも大きく形成されている。すなわち、張出部３ｂは接触体４よりも小さく形成されている。従って、接触体４と張出部３ｂとの間に第１の付着面１２が形成され、接触体４と張出部３ｂ以外の載置面３ａとの間に第２の付着面１３が形成されている。尚、ゴムシートはその厚さがほぼ一定に形成されているため、接触体４として用いることは、接触部のレベルを合わせる上で好ましい。
【００１９】
センタリング機構部５は、略カップ状に形成されたの樹脂成形品である。その外周側には、ディスク１５をセンタリングするために径方向外方に向かって付勢力を有する舌片部５ａを備えている。本形態では、約７２°ピッチで、５箇所に舌片部５ａが形成されている。また、センタリング機構部５は、クランプ部材６を吸着する吸着マグネット（図示省略）を備えている。
【００２０】
（ディスク駆動装置のディスクの振れ調整）
以上のように構成されたディスク駆動装置１においては、ディスク１５を載置した状態で、ディスク１５の振れ特性検査が行われ、必要な場合には、ディスク１５の振れ調整が行われる。ディスク１５の振れを調整する際には、張出部３ｂの突出量が調整される。すなわち、所定の治具を用いて張出部３ｂを押圧する等によりその突出量を増減させて、レベル合わせをすることで、ディスク１５の振れが調整される。
【００２１】
（本形態の効果）
以上説明したように、本形態のターンテーブル２では、載置面３ａ上で円周方向に離間して凸設された張出部３ｂに対応する位置で、円周方向に点在して接触体４が３箇所に付着されている。そのため、３点でディスク１５の表面を支持することとなり、リング状ゴムシートの全周でディスク１５の表面を支持する場合と比較して平面精度の確保が容易になり、生産性が向上する。また、リング状のゴムシートを接触体に用いる場合のように、接触体を生産する際に中心部分が不要部分となることはない。そのため、接触体４の取り数が多くなり、生産性が向上するとともに生産コストが低減することができる。
【００２２】
また、載置面３ａ上には円周方向に離間して凸設された張出部３ｂが形成されている。そのため、ディスク１５の振れ特性検査時に、ディスク１５の振れが生じたとしても、張出部３ｂの突出量を調整することで個々の接触体４のレベル調整ができ、３個の接触体４から構成される接触部のレベル調整が可能となる。従って、ターンテーブル２が搭載されたディスク駆動装置１の組立後においても、簡易な構成で接触部のレベル調整を行うことができる。その結果、ディスク振れのないディスク駆動装置１を提供することができる。また、張出部３ｂを目印に接触体４を付着すればよいことから、接触体４の付着作業が容易になる。
【００２３】
本形態では、張出部３ｂが、接触体４より小さく形成されている。ここで、載置面３ａに載置された状態のディスク１５が回転すると、ディスク１５と接触体４との間に生じる摩擦力の影響で張出部３ｂと接触体４との間に形成される第１の付着面１２にせん断力が直接的に発生する。しかしながら、本形態では、張出部３ｂは、接触体４よりも小さく形成されているため、張出部３ｂ以外の載置面３ａと接触体４との間にも第２の付着面１３が形成される。せん断力の直接的な影響を受けない第２の付着面１３が形成されることから、ディスク１５の回転時においても載置面３ａの対する接触体４の付着強度が確保できる。そのため、接触体４の位置ずれや載置面３ａからの剥がれ落ちを防止することができ、信頼性の高いディスク駆動装置１を提供することができる。
【００２４】
（他の実施の形態）
上述した形態は、本発明の好適な形態の一例ではあるが、これに限定されるものではなく本発明の要旨を変更しない範囲において種々変形可能である。例えば、上述した形態においては、張出部３ｂを約１２０°ピッチで円周方向に３箇所形成するとともに、張出部３ｂに対応するように接触体４を円周方向に約１２０°ピッチで３箇所に付着したが、例えば、図４に示すように、張出部３ｂを約９０°ピッチで円周方向に４箇所形成するとともに、張出部３ｂに対応するように、接触体４を円周方向に約９０ピッチで４箇所に付着してもよい。また、図５に示すように、張出部３ｂを約７２°ピッチで円周方向に５箇所形成するとともに、張出部３ｂに対応するように、接触体４を円周方向に約７２°ピッチで５箇所に付着してもよい。
【００２５】
また、接触体４の形状は、矩形状には限定される円形状や楕円形状であってもよい。さらに、接触体４はゴムシートには限定されず、種々の弾性部材を用いて接触体４を形成することができる。
【図面の簡単な説明】
【００２６】
【図１】本発明の実施の形態に係るディスク駆動装置を示す側面図である。
【図２】図１に示すディスク駆動装置に搭載されるターンテーブルを示す平面図である。
【図３】図２におけるＸ−Ｘ断面を示す断面図である。
【図４】本発明の他の実施の形態に係るターンテーブルを示す平面図である。
【図５】本発明の更に他の実施の形態に係るターンテーブルを示す平面図である。
【符号の説明】
【００２７】
１  ディスク駆動装置
２  ターンテーブル
３  載置部
３ａ  載置面
３ｂ  張出部
４  接触体
６  クランプ部材
８  駆動機構部
１５  ディスク
【図１】
2005182943.tif 000003
【図２】
2005182943.tif 000004
【図３】
2005182943.tif 000005
【図４】
2005182943.tif 000006
【図５】
2005182943.tif 000007